(57)【特許請求の範囲】
【請求項１】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツを放送コンテンツ記憶部に記録する記録制御手段と、
前記放送コンテンツ記憶部に記憶されている前記放送コンテンツを再生するように制御する再生制御手段と、
前記再生制御手段による前記放送コンテンツの再生中に任意のＣＭコンテンツをスキップさせるためのユーザ操作に基づいて、当該放送コンテンツに含まれるＣＭコンテンツをスキップさせるように前記再生制御手段を制御するスキップ手段と、
前記再生制御手段により再生される前記番組コンテンツを表示部に出力して表示させるように制御する第１の表示制御手段と、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段とを備え、
前記記録制御手段は、前記放送コンテンツ受信手段により受信された前記放送コンテンツに含まれるＣＭコンテンツを記録する場合、各ＣＭコンテンツの開始位置および終了位置に対して、当該開始位置が前記スキップ手段によりスキップされたことを示す値がデフォルト値として設定されている開始位置フラグ情報および、当該終了位置が前記スキップ手段によりスキップされたことを示す値がデフォルト値として設定されている終了位置フラグ情報をそれぞれ付与する一方、前記再生制御手段により前記放送コンテンツが再生されている場合、当該放送コンテンツに含まれる各ＣＭコンテンツの開始位置が前記スキップ手段によりスキップされなかったときには、当該開始位置に対応する開始位置フラグ情報の値を、前記スキップ手段によりスキップされていないことを示す値に設定し直す一方
、当該放送コンテンツに含まれる各ＣＭコンテンツの終了位置が前記スキップ手段によりスキップされなかったときには、当該終了位置に対応する終了位置フラグ情報の値を、前記スキップ手段によりスキップされていないことを示す値に設定し直し、
前記第２の表示制御手段は、前記スキップ手段によりスキップされた後に前記再生制御手段により直近で再生される番組コンテンツと、当該番組コンテンツの１つ前に前記再生制御手段により再生された番組コンテンツとの間に挿入されたＣＭコンテンツのうち、前記スキップ手段によりスキップされたことを示す値が前記開始位置フラグ情報および前記終了位置フラグ情報の少なくとも何れかに設定されているＣＭコンテンツのみに関連する静止画ＣＭコンテンツを、前記番組コンテンツと同時に前記表示部に出力して表示させることを特徴とするＣＭコンテンツ表示装置。
【請求項２】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツを放送コンテンツ記憶部に記録する記録制御手段と、
前記放送コンテンツ記憶部に記憶されている前記放送コンテンツを再生するように制御する再生制御手段と、
前記再生制御手段による前記放送コンテンツの再生中に任意のＣＭコンテンツをスキップさせるためのユーザ操作に基づいて、当該放送コンテンツに含まれるＣＭコンテンツをスキップさせるように前記再生制御手段を制御するスキップ手段と、
前記再生制御手段により再生される前記番組コンテンツを表示部に出力して表示させるように制御する第１の表示制御手段と、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段と、
ＣＭコンテンツのメタ情報であるＣＭメタ情報を記憶するＣＭメタ情報記憶部を備えるＣＭメタ情報サーバから、前記放送コンテンツ受信手段により受信された前記放送コンテンツに含まれるＣＭコンテンツのＣＭメタ情報を受信するＣＭメタ情報受信手段とを備え、
前記記録制御手段は、前記放送コンテンツ受信手段により受信された前記放送コンテンツに含まれるＣＭコンテンツを記録する場合、前記ＣＭメタ情報受信手段により受信された前記ＣＭメタ情報に当該ＣＭコンテンツに関連する静止画ＣＭコンテンツが含まれていないとき、当該ＣＭコンテンツから特定のフレーム画像を抽出し、その抽出したフレーム画像の上に、前記メタ情報に含まれる商品名またはサービス名を重畳した画像を前記静止画ＣＭコンテンツとしてＣＭ情報記憶部に記録し、
前記第２の表示制御手段は、前記スキップ手段によりスキップされる前記ＣＭコンテンツのみに関連する前記静止画ＣＭコンテンツを前記ＣＭ情報記憶部から取り出すことを特徴とするＣＭコンテンツ表示装置。
【請求項３】
番組本編に対応する番組コンテンツと、コマーシャルに対応するＣＭコンテンツとを含む放送コンテンツを受信する放送コンテンツ受信手段と、
前記放送コンテンツ受信手段により受信された前記放送コンテンツを放送コンテンツ記憶部に記録する記録制御手段と、
前記放送コンテンツ記憶部に記憶されている前記放送コンテンツを再生するように制御する再生制御手段と、
前記再生制御手段による前記放送コンテンツの再生中に任意のＣＭコンテンツをスキップさせるためのユーザ操作に基づいて、当該放送コンテンツに含まれるＣＭコンテンツをスキップさせるように前記再生制御手段を制御するスキップ手段と、
前記再生制御手段により再生される前記番組コンテンツを表示部に出力して表示させるように制御する第１の表示制御手段と、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段と、
ＣＭコンテンツのメタ情報であるＣＭメタ情報を記憶するＣＭメタ情報記憶部を備えるＣＭメタ情報サーバから、前記放送コンテンツ受信手段により受信された前記放送コンテンツに含まれるＣＭコンテンツのＣＭメタ情報を受信するＣＭメタ情報受信手段とを備え、
前記記録制御手段は、前記放送コンテンツ受信手段により受信された前記放送コンテンツに含まれるＣＭコンテンツを記録する場合、前記ＣＭメタ情報受信手段により受信された前記ＣＭメタ情報に当該ＣＭコンテンツに関連するＷｅｂサイトを識別するためのリンク先ＵＲＬが含まれていないとき、前記メタ情報に含まれる広告主、および、商品名またはサービス名を、キーワードに設定してＷｅｂサイトを検索し、検索したＷｅｂサイトを識別するためのリンク先ＵＲＬを示すリンク先ＵＲＬ情報を前記静止画ＣＭコンテンツと関連付けてＣＭ情報記憶部に記録し、
前記第２の表示制御手段により前記静止画ＣＭコンテンツが表示されている場合、当該静止画ＣＭコンテンツを選択するためのユーザ操作に基づいて、選択された静止画ＣＭコンテンツに関連付けて記録された前記リンク先ＵＲＬ情報を前記ＣＭ情報記憶部から取り出し、当該取り出した前記リンク先ＵＲＬ情報により示されるリンク先ＵＲＬにより前記Ｗｅｂサイトにアクセスして前記Ｗｅｂサイト上のＷｅｂページを取得するＷｅｂページ取得手段と、
前記Ｗｅｂページ取得手段により取得された前記Ｗｅｂページを前記表示部に出力して表示させるように制御する第３の表示制御手段とを更に備えたことを特徴とするＣＭコンテンツ表示装置。
【請求項４】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツを放送コンテンツ記憶部に記録する記録制御手段、
前記放送コンテンツ記憶部に記憶されている前記放送コンテンツを再生するように制御する再生制御手段、
前記再生制御手段による前記放送コンテンツの再生中に、任意のＣＭコンテンツをスキップさせるためのユーザ操作に基づいて、当該放送コンテンツに含まれるＣＭコンテンツをスキップさせるように制御するスキップ手段、
前記再生制御手段により再生される前記番組コンテンツを表示部に出力して表示させるように制御する第１の表示制御手段、および、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段としてコンピュータを機能させ、
前記記録制御手段が、前記放送コンテンツ受信手段により受信された前記放送コンテンツに含まれるＣＭコンテンツを記録する場合、各ＣＭコンテンツの開始位置および終了位置に対して、当該開始位置が前記スキップ手段によりスキップされたことを示す値がデフォルト値として設定されている開始位置フラグ情報および、当該終了位置が前記スキップ手段によりスキップされたことを示す値がデフォルト値として設定されている終了位置フラグ情報をそれぞれ付与する一方、前記再生制御手段により前記放送コンテンツが再生されている場合、当該放送コンテンツに含まれる各ＣＭコンテンツの開始位置が前記スキップ手段によりスキップされなかったときには、当該開始位置に対応する開始位置フラグ情報の値を、前記スキップ手段によりスキップされていないことを示す値に設定し直す一方
、当該放送コンテンツに含まれる各ＣＭコンテンツの終了位置が前記スキップ手段によりスキップされなかったときには、当該終了位置に対応する終了位置フラグ情報の値を、前記スキップ手段によりスキップされていないことを示す値に設定し直すように前記コンピュータを機能させ、
前記第２の表示制御手段が、前記スキップ手段によりスキップされた後に前記再生制御手段により直近で再生される番組コンテンツと、当該番組コンテンツの１つ前に前記再生制御手段により再生された番組コンテンツとの間に挿入されたＣＭコンテンツのうち、前記スキップ手段によりスキップされたことを示す値が前記開始位置フラグ情報および前記終了位置フラグ情報の少なくとも何れかに設定されているＣＭコンテンツのみに関連する静止画ＣＭコンテンツを、前記番組コンテンツと同時に前記表示部に出力して表示させるように前記コンピュータを機能させるためのコンピュータ読み取り可能なＣＭコンテンツ表示制御用プログラム。
【請求項５】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツを放送コンテンツ記憶部に記録する記録制御手段、
前記放送コンテンツ記憶部に記憶されている前記放送コンテンツを再生するように制御する再生制御手段、
前記再生制御手段による前記放送コンテンツの再生中に、任意のＣＭコンテンツをスキップさせるためのユーザ操作に基づいて、当該放送コンテンツに含まれるＣＭコンテンツをスキップさせるように制御するスキップ手段、
前記再生制御手段により再生される前記番組コンテンツを表示部に出力して表示させるように制御する第１の表示制御手段、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段、および、
ＣＭコンテンツのメタ情報であるＣＭメタ情報を記憶するＣＭメタ情報記憶部を備えるＣＭメタ情報サーバから、前記放送コンテンツ受信手段により受信された前記放送コンテンツに含まれるＣＭコンテンツのＣＭメタ情報を受信するＣＭメタ情報受信手段としてコンピュータを機能させ、
前記記録制御手段が、前記放送コンテンツ受信手段により受信された前記放送コンテンツに含まれるＣＭコンテンツを記録する場合、前記ＣＭメタ情報受信手段により受信された前記ＣＭメタ情報に当該ＣＭコンテンツに関連する静止画ＣＭコンテンツが含まれていないとき、当該ＣＭコンテンツから特定のフレーム画像を抽出し、その抽出したフレーム画像の上に、前記メタ情報に含まれる商品名またはサービス名を重畳した画像を前記静止画ＣＭコンテンツとしてＣＭ情報記憶部に記録するように前記コンピュータを機能させ、
前記第２の表示制御手段が、前記スキップ手段によりスキップされる前記ＣＭコンテンツのみに関連する前記静止画ＣＭコンテンツを前記ＣＭ情報記憶部から取り出すように前記コンピュータを機能させるためのコンピュータ読み取り可能なＣＭコンテンツ表示制御用プログラム。
【請求項６】
番組本編に対応する番組コンテンツと、コマーシャルに対応するＣＭコンテンツとを含む放送コンテンツを受信する放送コンテンツ受信手段、
前記放送コンテンツ受信手段により受信された前記放送コンテンツを放送コンテンツ記憶部に記録する記録制御手段、
前記放送コンテンツ記憶部に記憶されている前記放送コンテンツを再生するように制御する再生制御手段、
前記再生制御手段による前記放送コンテンツの再生中に、任意のＣＭコンテンツをスキップさせるためのユーザ操作に基づいて、当該放送コンテンツに含まれるＣＭコンテンツをスキップさせるように制御するスキップ手段、
前記再生制御手段により再生される前記番組コンテンツを表示部に出力して表示させるように制御する第１の表示制御手段、
前記放送コンテンツに含まれる前記ＣＭコンテンツのうち前記スキップ手段によりスキップされる前記ＣＭコンテンツのみに関連する静止画ＣＭコンテンツを、前記番組コンテンツと同時に前記表示部に出力して表示させるように制御する第２の表示制御手段、および、
ＣＭコンテンツのメタ情報であるＣＭメタ情報を記憶するＣＭメタ情報記憶部を備えるＣＭメタ情報サーバから、前記放送コンテンツ受信手段により受信された前記放送コンテンツに含まれるＣＭコンテンツのＣＭメタ情報を受信するＣＭメタ情報受信手段としてコンピュータを機能させ、
前記記録制御手段が、前記放送コンテンツ受信手段により受信された前記放送コンテンツに含まれるＣＭコンテンツを記録する場合、前記ＣＭメタ情報受信手段により受信された前記ＣＭメタ情報に当該ＣＭコンテンツに関連するＷｅｂサイトを識別するためのリンク先ＵＲＬが含まれていないとき、前記メタ情報に含まれる広告主、および、商品名またはサービス名を、キーワードに設定してＷｅｂサイトを検索し、検索したＷｅｂサイトを識別するためのリンク先ＵＲＬを示すリンク先ＵＲＬ情報を前記静止画ＣＭコンテンツと関連付けてＣＭ情報記憶部に記録するように前記コンピュータを機能させ、
前記第２の表示制御手段により前記静止画ＣＭコンテンツが表示されている場合、当該静止画ＣＭコンテンツを選択するためのユーザ操作に基づいて、選択された静止画ＣＭコンテンツに関連付けて記録された前記リンク先ＵＲＬ情報を前記ＣＭ情報記憶部から取り出し、当該取り出した前記リンク先ＵＲＬ情報により示されるリンク先ＵＲＬにより前記Ｗｅｂサイトにアクセスして前記Ｗｅｂサイト上のＷｅｂページを取得するＷｅｂページ取得手段、および、
前記Ｗｅｂページ取得手段により取得された前記Ｗｅｂページを前記表示部に出力して表示させるように制御する第３の表示制御手段として更に前記コンピュータを機能させるためのコンピュータ読み取り可能なＣＭコンテンツ表示制御用プログラム。
【発明の詳細な説明】
【技術分野】
【０００１】
本発明は、ＣＭコンテンツ表示装置およびＣＭコンテンツ表示制御用プログラムに関し、例えば、ＣＭコンテンツをスキップさせて番組コンテンツだけを再生するＣＭスキップ機能を有する装置に用いて好適なものである。
【背景技術】
【０００２】
従来、番組本編に対応する番組コンテンツを提供する放送事業者は、スポンサーとなる企業のコマーシャルに対応するＣＭコンテンツを番組コンテンツの合間に挿入することにより、企業から広告収入を得ている。一方、企業は、広告を商品やサービスの購買につなげ、売り上げの向上を図っている。
【０００３】
しかし、ＨＤＤ（Ｈａｒｄ  Ｄｉｓｋ  Ｄｒｉｖｅ）レコーダのような記録再生装置の普及および高機能化により、放送される放送コンテンツ（番組コンテンツの中にＣＭコンテンツが挿入されたもの）の全体を一旦ハードディスクに記録して、その後ＣＭコンテンツをスキップさせて番組コンテンツだけを再生すること（ＣＭスキップ機能）がユーザ操作により簡単にできるようになってきている。このようなＣＭスキップ機能は、ユーザにしてみれば便利な機能であるが、企業側にしてみれば、スキップされる回数分だけユーザによるＣＭコンテンツの視聴回数が減り、ＣＭコンテンツの宣伝効果が低下するという問題があった。
【０００４】
このような問題に対し、本編情報（番組コンテンツ、以下同じ）の間にＣＭ情報（ＣＭコンテンツ、以下同じ）が挿入された放送番組データ（放送コンテンツ）を再生する場合、ＣＭ情報をスキップして本編情報を連続的に再生するとともに、スキップするＣＭ情報を本編情報の上に小画面として合成表示したり、ＣＭ情報と本編情報とを２画面表示したりする技術が提案されている（例えば、特許文献１を参照）。特許文献１に記載の技術によれば、本編情報を連続して視聴するというユーザの利便性を確保しながら、ユーザにＣＭ情報を視聴させたいという企業の意図に沿うことができる。
【先行技術文献】
【特許文献】
【０００５】
【特許文献１】特開２００４−３２８５４６号公報
【発明の概要】
【発明が解決しようとする課題】
【０００６】
しかしながら、上記特許文献１に記載の技術は、全てのＣＭ情報を自動的にスキップさせることを前提としている。そのため、上記特許文献１に記載の技術は、ユーザ操作により任意のＣＭ情報をスキップさせる場合には適用できないという問題があった。
【０００７】
本発明は、このような問題を解決するために成されたものであり、ユーザ操作により任意のＣＭコンテンツをスキップさせる場合でも、ＣＭを途中からスキップして番組本編を早く見たいというユーザの希望を満たしつつ、スキップさせるＣＭコンテンツの宣伝効果を維持できるようにすることを目的とする。
【課題を解決するための手段】
【０００８】
上記した課題を解決するために、本発明では、番組本編に対応する番組コンテンツと、コマーシャルに対応するＣＭコンテンツとを含む放送コンテンツを受信して記憶させる。そして、放送コンテンツの再生中に任意のＣＭコンテンツをスキップさせるためのユーザ操作に基づいて、当該放送コンテンツに含まれるＣＭコンテンツをスキップさせる場合、再生される番組コンテンツを表示部に表示させる一方、放送コンテンツに含まれるＣＭコンテンツのうちスキップさせるＣＭコンテンツのみに関連する静止画ＣＭコンテンツを番組コンテンツと共に表示部に表示させるようにしている。
特に、本発明では、スキップされた後に直近で再生される番組コンテンツと、当該番組コンテンツの１つ前に再生された番組コンテンツとの間に挿入されたＣＭコンテンツのうち、スキップされたことを示す値が開始位置フラグ情報および終了位置フラグ情報の少なくとも何れかに設定されているＣＭコンテンツのみに関連する静止画ＣＭコンテンツを、番組コンテンツと同時に表示部に出力して表示させるようにしている。
また、本発明の他の態様では、ＣＭメタ情報サーバから、ＣＭコンテンツのＣＭメタ情報を受信し、受信したＣＭメタ情報にＣＭコンテンツに関連する静止画ＣＭコンテンツが含まれていないとき、当該ＣＭコンテンツから抽出したフレーム画像の上に、メタ情報に含まれる商品名またはサービス名を重畳した画像を静止画ＣＭコンテンツとしてＣＭ情報記憶部に記録する。そして、スキップされるＣＭコンテンツのみに関連する静止画ＣＭコンテンツをＣＭ情報記憶部から取り出すようにしている。
また、本発明の他の態様では、ＣＭメタ情報サーバから、ＣＭコンテンツのＣＭメタ情報を受信し、受信されたＣＭメタ情報にＣＭコンテンツに関連するＷｅｂサイトを識別するためのリンク先ＵＲＬが含まれていないとき、メタ情報に含まれる広告主、および、商品名またはサービス名を、キーワードに設定してＷｅｂサイトを検索し、検索したＷｅｂサイトを識別するためのリンク先ＵＲＬを示すリンク先ＵＲＬ情報を静止画ＣＭコンテンツと関連付けてＣＭ情報記憶部に記録する。そして、静止画ＣＭコンテンツが表示されている場合、当該静止画ＣＭコンテンツを選択するためのユーザ操作に基づいて、選択された静止画ＣＭコンテンツに関連付けて記録されたリンク先ＵＲＬ情報によりＷｅｂページを取得し、取得したＷｅｂページを表示部に表示させるようにしている。
【発明の効果】
【０００９】
上記のように構成した本発明によれば、ユーザ操作により任意のＣＭコンテンツをスキップさせると、そのスキップされたＣＭコンテンツのみに関連する静止画ＣＭコンテンツが、ユーザが番組コンテンツを視聴している表示部に番組コンテンツと同時に表示されることとなる。そのため、任意のＣＭコンテンツをスキップさせる場合でも、そのＣＭに対するユーザの視聴機会が減ることはない。これにより、ＣＭを途中からスキップして番組本編を早く見たいというユーザの希望を満たしつつ、スキップされるＣＭコンテンツの宣伝効果を維持することができる。
【図面の簡単な説明】
【００１０】
【図１】本実施形態によるＣＭコンテンツ表示システムの構成例を示すブロック図である。
【図２】本実施形態による開始位置フラグ情報および終了位置フラグ情報の例を示す図である。
【図３】本実施形態による放送コンテンツの再生動作中における表示画面例を示す図である。
【図４】本実施形態の録画再生装置による記録制御動作例を示すフローチャートである。
【図５】本実施形態の録画再生装置による表示制御動作例を示すフローチャートである。
【発明を実施するための形態】
【００１１】
以下、本発明の一実施形態（以下、本実施形態）を図面に基づいて説明する。図１は、本発明のＣＭコンテンツ表示装置を備えたＣＭコンテンツ表示システム１００の構成例を示すブロック図である。図１に示すように、ＣＭコンテンツ表示システム１００は、放送局１２０、ＣＭ情報提供サーバ１４０（特許請求の範囲のＣＭメタ情報サーバに対応）および録画再生装置１６０（本発明のＣＭコンテンツ表示装置に対応）を備えて構成されている。
【００１２】
ＣＭ情報提供サーバ１４０は、例えば放送局１２０の営業、編成、放送までを一貫して管理することが可能な営放システムと連動し、番組コンテンツやＣＭコンテンツなどの放送用素材の管理を行う管理システム内に設置される。録画再生装置１６０は、例えば、ユーザの自宅内に設置される。そして、放送局１２０と録画再生装置１６０との間が放送回線にて接続されている。また、ＣＭ情報提供サーバ１４０と録画再生装置１６０との間がインターネット回線にて接続されている。
【００１３】
放送局１２０は、番組本編に対応する番組コンテンツと、コマーシャルに対応するＣＭコンテンツとを含む放送コンテンツを録画再生装置１６０に送信する。各放送コンテンツには、その放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が付与されている。
【００１４】
次に、ＣＭ情報提供サーバ１４０の構成について説明する。図１に示すように、ＣＭ情報提供サーバ１４０は、ＣＭ放送情報記憶部２００、ＣＭメタ情報記憶部２２０、ＣＭ放送情報送信手段２４０およびＣＭメタ情報送信手段２６０を備えて構成されている。
【００１５】
ＣＭ放送情報記憶部２００は、放送局１２０から録画再生装置１６０に送信される放送コンテンツに含まれる各ＣＭコンテンツのＣＭ放送情報を営放システム等から取得して記憶する。ＣＭ放送情報には、ＣＭコンテンツを一意に特定可能なＣＭ−ＩＤ、当該ＣＭコンテンツの放送種別（例えば、地上波放送、ＢＳ放送、ＣＳ放送など）を示す放送種別情報、当該ＣＭコンテンツの放送チャンネルを示す放送チャンネル情報、当該ＣＭコンテンツの放送開始時間を示す放送開始時間情報、当該ＣＭコンテンツの放送終了時間を示す放送終了時間情報、当該ＣＭコンテンツの対象となる放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が含まれる。
【００１６】
ＣＭメタ情報記憶部２２０は、放送局１２０から録画再生装置１６０に送信される放送コンテンツに含まれる各ＣＭコンテンツのＣＭメタ情報を営放システム等から取得して記憶する。ＣＭメタ情報には、ＣＭコンテンツを一意に特定可能なＣＭ−ＩＤ、当該ＣＭコンテンツのタイトルを示すタイトル情報、当該ＣＭコンテンツの広告主を示す広告主情報、当該ＣＭコンテンツで扱う商品名・サービス名を示す商品・サービス名情報、当該ＣＭコンテンツに関連する広告表示用の静止画ＣＭコンテンツ、当該ＣＭコンテンツに関連するＷｅｂサイトを識別するためのリンク先ＵＲＬを示すリンク先ＵＲＬ情報、当該ＣＭコンテンツの放送期間を示す放送期間情報、当該ＣＭコンテンツの出演者を示す出演者情報、および当該ＣＭコンテンツの製作会社を示す製作会社情報、当該ＣＭコンテンツの対象となる放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、および当該放送コンテンツの放送開始時間を示す放送開始時間情報が含まれる。
【００１７】
本実施形態では、ＣＭ情報提供サーバ１４０は、営放システム等からＣＭ放送情報およびＣＭメタ情報を取得し、ＣＭ放送情報記憶部２００およびＣＭメタ情報記憶部２２０にそれぞれ記録する。なお、ＣＭ情報提供サーバ１４０を管理する管理者が、ＣＭ放送情報およびＣＭメタ情報を専門に販売する会社から当該ＣＭ放送情報およびＣＭメタ情報を購入してＣＭ放送情報記憶部２００およびＣＭメタ情報記憶部２２０にそれぞれ記録するようにしても良い。
【００１８】
ＣＭ放送情報送信手段２４０は、録画再生装置１６０のＣＭ放送情報受信手段３２０からイベントＩＤを含むＣＭ情報取得要求が送られてきた場合、当該イベントＩＤに関連する全てのＣＭ放送情報をＣＭ放送情報記憶部２００から取り出してＣＭ放送情報受信手段３２０に送信する。
【００１９】
ＣＭメタ情報送信手段２６０は、録画再生装置１６０のＣＭ放送情報受信手段３２０からＣＭ放送情報送信手段２４０に送られてきたＣＭ情報取得要求に含まれるイベントＩＤをＣＭ放送情報送信手段２４０から取得し、当該イベントＩＤに関連する全てのＣＭメタ情報をＣＭメタ情報記憶部２２０から取り出してＣＭメタ情報受信手段３４０に送信する。
【００２０】
ここでは、ＣＭメタ情報送信手段２６０がＣＭ放送情報送信手段２４０からイベントＩＤを取得する例について説明したが、これに限定されない。例えば、録画再生装置１６０のＣＭ放送情報受信手段３２０がＣＭメタ情報受信手段３４０にイベントＩＤを通知し、当該イベントＩＤを含むＣＭ情報取得要求をＣＭメタ情報受信手段３４０がＣＭメタ情報送信手段２６０に送信してもよい。
【００２１】
次に、録画再生装置１６０の構成について説明する。図１に示すように、録画再生装置１６０は、録画予約情報記憶部２８０、放送コンテンツ受信手段３００、ＣＭ放送情報受信手段３２０、ＣＭメタ情報受信手段３４０、記録制御手段３６０、放送コンテンツ記憶部３８０、ＣＭ情報記憶部３９０、操作受付手段４００、再生制御手段４２０、第１の表示制御手段４４０、スキップ手段４６０、第２の表示制御手段４８０、Ｗｅｂページ取得手段５００および第３の表示制御手段５２０を備えて構成されている。なお、録画再生装置１６０には、放送コンテンツを表示するための表示部５４０が接続されている。
【００２２】
録画予約情報記憶部２８０は、放送コンテンツの録画予約に関する録画予約情報を記憶する。録画予約情報には、録画予約に係る放送コンテンツを一意に特定可能な放送コンテンツ特定情報（イベントＩＤ）、当該放送コンテンツの放送種別（例えば、地上波放送、ＢＳ放送、ＣＳ放送など）を示す放送種別情報、当該放送コンテンツの放送チャンネルを示す放送チャンネル情報、当該放送コンテンツの録画開始時間を示す録画開始時間情報、および、当該放送コンテンツの録画終了時間を示す録画終了時間情報が含まれる。
【００２３】
放送コンテンツ受信手段３００は、録画予約情報記憶部２８０に記憶されている録画予約情報を参照し、現在の時間が録画予約の録画開始時間になった場合、当該録画予約に係る放送コンテンツを放送局１２０から受信する。そして、放送コンテンツ受信手段３００は、受信した各放送コンテンツに付与されているイベントＩＤをＣＭ放送情報受信手段３２０に出力する。また、放送コンテンツ受信手段３００は、受信した放送コンテンツを記録制御手段３６０に出力する。
【００２４】
ＣＭ放送情報受信手段３２０は、放送コンテンツ受信手段３００からイベントＩＤが出力された場合、そのイベントＩＤを含むＣＭ情報取得要求をＣＭ情報提供サーバ１４０のＣＭ放送情報送信手段２４０に送信する。その後、ＣＭ放送情報受信手段３２０は、ＣＭ放送情報送信手段２４０から送信されたＣＭ放送情報を受信して記録制御手段３６０に出力する。
【００２５】
ＣＭメタ情報受信手段３４０は、上述のＣＭ情報取得要求に対する応答としてＣＭ情報提供サーバ１４０のＣＭメタ情報送信手段２６０から送信されたＣＭメタ情報を受信して記録制御手段３６０に出力する。
【００２６】
記録制御手段３６０は、操作受付手段４００により放送コンテンツの録画予約を入力する操作が受け付けられた場合、その録画予約に関する録画予約情報を録画予約情報記憶部２８０に記録する。また、記録制御手段３６０は、放送コンテンツ受信手段３００から放送コンテンツが出力された場合、その放送コンテンツを放送コンテンツ記憶部３８０に記録する。また、記録制御手段３６０は、ＣＭ放送情報受信手段３２０からＣＭ放送情報が出力された場合、そのＣＭ放送情報をＣＭ情報記憶部３９０に記録する。また、記録制御手段３６０は、ＣＭメタ情報受信手段３４０からＣＭメタ情報が出力された場合、そのＣＭメタ情報をＣＭ情報記憶部３９０に記録する。
【００２７】
また、記録制御手段３６０は、放送コンテンツ受信手段３００から出力された放送コンテンツを放送コンテンツ記憶部３８０に記録する際、ＣＭ放送情報受信手段３２０から出力されたＣＭ放送情報に含まれる放送開始時間情報および放送終了時間情報を参照し、当該放送コンテンツに含まれる各ＣＭコンテンツの開始位置および終了位置に対して、当該開始位置がスキップ手段４６０によりスキップされたことを示す値がデフォルト値として設定されている開始位置フラグ情報および、当該終了位置がスキップ手段４６０によりスキップされたことを示す値がデフォルト値として設定されている終了位置フラグ情報をそれぞれ付与する。そして、記録制御手段３６０は、それぞれのフラグ情報をＣＭコンテンツのＣＭ−ＩＤに関連づけてＣＭ情報記憶部３９０に記録する。
【００２８】
また、記録制御手段３６０は、再生制御手段４２０による放送コンテンツの再生中、スキップ手段４６０によりスキップされなかった開始位置に対応する開始位置フラグ情報の値を、スキップ手段４６０によりスキップされていないことを示す値に設定し直す。また、記録制御手段３６０は、再生制御手段４２０による放送コンテンツの再生中、スキップ手段４６０によりスキップされなかった終了位置に対応する終了位置フラグ情報の値を、スキップ手段４６０によりスキップされていないことを示す値に設定し直す。
【００２９】
図２（ａ）は、放送コンテンツ受信手段３００から出力された放送コンテンツを放送コンテンツ記憶部３８０に記録する際、放送コンテンツに含まれる各ＣＭコンテンツの開始位置および終了位置に対して、開始位置フラグ情報および終了位置フラグ情報をそれぞれ付与する例を模式的に示す図である。図２（ａ）に示すように、放送コンテンツ内において、番組コンテンツＡと番組コンテンツＢとの間には、それぞれ３０秒間のＣＭコンテンツＡ、ＣＭコンテンツＢ、ＣＭコンテンツＣおよびＣＭコンテンツＤが挿入されている。
【００３０】
このような場合において、記録制御手段３６０は、ＣＭコンテンツＡの開始位置および終了位置に対して、開始位置フラグ情報６００および終了位置フラグ情報６１０をそれぞれ付与する。また、記録制御手段３６０は、ＣＭコンテンツＢの開始位置および終了位置に対して、開始位置フラグ情報６２０および終了位置フラグ情報６３０をそれぞれ付与する。また、記録制御手段３６０は、ＣＭコンテンツＣの開始位置および終了位置に対して、開始位置フラグ情報６４０および終了位置フラグ情報６５０をそれぞれ付与する。また、記録制御手段３６０は、ＣＭコンテンツＤの開始位置および終了位置に対して、開始位置フラグ情報６６０および終了位置フラグ情報６７０をそれぞれ付与する。
【００３１】
図２（ｂ）は、再生制御手段４２０による放送コンテンツの再生中、ＣＭコンテンツの開始位置および終了位置に対して付与された開始位置フラグ情報および終了位置フラグ情報の値を設定し直す例を模式的に示す図である。図２（ｂ）に示す例では、ＣＭコンテンツＢの途中から番組コンテンツＢの途中までスキップ手段４６０によりスキップされている。
【００３２】
このような場合において、記録制御手段３６０は、ＣＭコンテンツＡの開始位置がスキップ手段４６０によりスキップされなかったため、当該開始位置に対応する開始位置フラグ情報６００の値を、スキップ手段４６０によりスキップされていないことを示す値に設定し直す。また、記録制御手段３６０は、ＣＭコンテンツＡの終了位置がスキップ手段４６０によりスキップされなかったため、当該終了位置に対応する終了位置フラグ情報６１０の値を、スキップ手段４６０によりスキップされていないことを示す値に設定し直す。また、記録制御手段３６０は、ＣＭコンテンツＢの開始位置がスキップ手段４６０によりスキップされなかったため、当該開始位置に対応する開始位置フラグ情報６２０の値を、スキップ手段４６０によりスキップされていないことを示す値に設定し直す。
【００３３】
操作受付手段４００は、操作部（図示せず、以下同じ）を介して、放送コンテンツの録画予約を入力する操作を受け付ける。そして、操作受付手段４００は、放送コンテンツの録画予約に関する録画予約情報を記録制御手段３６０に出力する。記録制御手段３６０は、操作受付手段４００から出力された録画予約情報を録画予約情報記憶部２８０に記録する。
【００３４】
また、操作受付手段４００は、操作部を介して、放送コンテンツ記憶部３８０に記憶されている放送コンテンツの中から所望の放送コンテンツの再生を要求する操作を受け付ける。そして、操作受付手段４００は、放送コンテンツの再生要求を再生制御手段４２０に出力する。
【００３５】
また、操作受付手段４００は、操作部を介して、放送コンテンツの再生中に任意のＣＭコンテンツのスキップを要求する操作を受け付ける。そして、操作受付手段４００は、ＣＭコンテンツのスキップ要求をスキップ手段４６０に出力する。
【００３６】
また、操作受付手段４００は、ＣＭコンテンツに関連する静止画ＣＭコンテンツが表示部５４０に表示されている場合、操作部を介して、当該静止画ＣＭコンテンツを選択してＷｅｂページの取得を要求する操作を受け付ける。そして、操作受付手段４００は、Ｗｅｂページの取得要求をＷｅｂページ取得手段５００に出力する。
【００３７】
また、操作受付手段４００は、ＣＭコンテンツに関連するＷｅｂページが表示部５４０に表示されている場合、操作部を介して、当該Ｗｅｂページの表示終了を要求する操作を受け付ける。そして、操作受付手段４００は、Ｗｅｂページの表示終了要求を第３の表示制御手段５２０に出力する。
【００３８】
再生制御手段４２０は、所望の放送コンテンツの再生要求が操作受付手段４００から出力された場合、再生要求に係る放送コンテンツを放送コンテンツ記憶部３８０から取り出して再生するように制御する。また、再生制御手段４２０は、スキップ手段４６０の制御を受けて、再生中の放送コンテンツに含まれるＣＭコンテンツをスキップさせる。
【００３９】
また、再生制御手段４２０は、放送コンテンツの再生中、当該放送コンテンツに含まれる各ＣＭコンテンツの開始位置がスキップ手段４６０によりスキップされたか否かを判定する。そして、スキップされなかったと判定した場合には、再生制御手段４２０は、その旨を記録制御手段３６０に通知する。記録制御手段３６０は、スキップされなかった開始位置に対応する開始位置フラグ情報の値を、スキップ手段４６０によりスキップされていないことを示す値に設定し直す。
【００４０】
また、再生制御手段４２０は、放送コンテンツの再生中、当該放送コンテンツに含まれる各ＣＭコンテンツの終了位置がスキップ手段４６０によりスキップされたか否かを判定する。そして、スキップされなかったと判定した場合には、再生制御手段４２０は、その旨を記録制御手段３６０に通知する。記録制御手段３６０は、スキップされなかった終了位置に対応する終了位置フラグ情報の値を、スキップ手段４６０によりスキップされていないことを示す値に設定し直す。
【００４１】
第１の表示制御手段４４０は、再生制御手段４２０により再生される放送コンテンツを表示部５４０に出力して表示させるように制御する。図３（ａ）は、再生制御手段４２０により再生される放送コンテンツ（番組コンテンツ、ＣＭコンテンツ）を図２（ａ）に示す順序に従って表示部５４０に全画面で表示させる例を示す図である。
【００４２】
また、第１の表示制御手段４４０は、再生制御手段４２０によりＣＭコンテンツがスキップされる場合、再生制御手段４２０により再生される番組コンテンツの表示モードを通常表示（全画面表示、以下同じ）から、左側に縮小して表示する縮小表示に変更する。また、第１の表示制御手段４４０は、静止画ＣＭコンテンツの表示を中止した旨の通知を第２の表示制御手段４８０から受けた場合、再生制御手段４２０により再生される番組コンテンツの表示モードを縮小表示から通常表示に変更する。
【００４３】
また、第１の表示制御手段４４０は、Ｗｅｂページを取得した旨の通知をＷｅｂページ取得手段５００から受けた場合、再生制御手段４２０により再生される番組コンテンツの表示を中断する。また、第１の表示制御手段４４０は、Ｗｅｂページの表示を終了した旨の通知を第３の表示制御手段５２０から受けた場合、再生制御手段４２０により再生される番組コンテンツの表示を再開する。
【００４４】
スキップ手段４６０は、ＣＭコンテンツのスキップ要求が操作受付手段４００から出力された場合、スキップ要求に係るＣＭコンテンツをスキップさせるように再生制御手段４２０を制御する。具体的には、スキップ手段４６０は、一定時間（例えば、９０秒）単位でスキップ処理を行わせるように再生制御手段４２０を制御する。ここで、スキップ処理とは、早送りで再生させる処理または再生位置をスキップ終了位置まで一気に飛ばす処理などである。図２（ｂ）に示す例では、ＣＭコンテンツのスキップ要求が操作受付手段４００から出力されることによって、スキップ手段４６０は、９０秒間（ＣＭコンテンツＢの途中から番組コンテンツＢの途中まで）、スキップ処理を行わせるように再生制御手段４２０を制御する。
【００４５】
なお、番組コンテンツがモノラル放送で放送される一方、ＣＭコンテンツがステレオ放送で放送される実態を鑑みて、ＣＭコンテンツのスキップ要求が操作受付手段４００から出力されたとき、ステレオ放送（ＣＭコンテンツ）からモノラル放送（番組コンテンツ）に切り替わるタイミングまでスキップ処理を行わせるように再生制御手段４２０を制御しても良い。また、番組コンテンツよりＣＭコンテンツの方が、単位時間あたりの平均音量が大きい実態を鑑みて、ＣＭコンテンツのスキップ要求が操作受付手段４００から出力されたとき、単位時間あたりの平均音量が所定値以上低下するタイミングまでスキップ処理を行わせるように再生制御手段４２０を制御しても良い。
【００４６】
第２の表示制御手段４８０は、再生制御手段４２０により再生される放送コンテンツに含まれるＣＭコンテンツのうちスキップ手段４６０によりスキップされたＣＭコンテンツのみに関連する静止画ＣＭコンテンツを、番組コンテンツと同時に表示部５４０に出力して表示させるように制御する。
【００４７】
具体的には、第２の表示制御手段４８０は、ＣＭ情報記憶部３９０に記憶されている各ＣＭコンテンツの開始位置フラグ情報および終了位置フラグ情報を参照し、スキップ手段４６０によりスキップされた後に再生制御手段４２０により直近で再生される番組コンテンツと、当該番組コンテンツの１つ前に再生制御手段４２０により再生された番組コンテンツとの間に挿入されたＣＭコンテンツのうち、スキップ手段４６０によりスキップされたことを示す値が開始位置フラグ情報および終了位置フラグ情報の少なくとも何れかに設定されているＣＭコンテンツを特定する。第２の表示制御手段４８０は、特定したＣＭコンテンツのＣＭ−ＩＤに対応する静止画ＣＭコンテンツをＣＭ情報記憶部３９０から取り出す。第２の表示制御手段４８０は、所定時間（例えば、３０秒）、取り出した静止画ＣＭコンテンツを表示部５４０に表示させる。第２の表示制御手段４８０は、所定時間経過後、静止画ＣＭコンテンツの表示を中止し、その旨を第１の表示制御手段４４０に通知する。
【００４８】
図２（ｂ）の例では、第２の表示制御手段４８０は、再生制御手段４２０により再生されている放送コンテンツの中で、スキップ手段４６０によりスキップされた後に直近で再生される番組コンテンツＢと、その番組コンテンツＢの１つ前に再生された番組コンテンツＡとの間に挿入されたＣＭコンテンツＡ〜Ｄのうち、スキップ手段４６０によりスキップされたことを示す値が開始位置フラグ情報および終了位置フラグ情報の少なくとも何れかに設定されているＣＭコンテンツＢ、ＣＭコンテンツＣおよびＣＭコンテンツＤを特定する。そして、第２の表示制御手段４８０は、第１の表示制御手段４４０により表示させられるＣＭスキップ後の番組コンテンツと、上記のように特定したＣＭコンテンツに関連する静止画ＣＭコンテンツとを互いに重畳しないようにして同時に表示部５４０に表示させる。
【００４９】
図３（ｂ）は、ＣＭスキップ後の番組コンテンツと、スキップ手段４６０によりスキップされるＣＭコンテンツに関連する静止画ＣＭコンテンツとを同時に表示部５４０に表示させる例を示す図である。図３（ｂ）に示すように、図２（ｂ）の例でＣＭスキップ後の番組コンテンツＢが左側に縮小して表示されるとともに、スキップされたＣＭコンテンツＢ、ＣＭコンテンツＣおよびＣＭコンテンツＤにそれぞれ関連する静止画ＣＭコンテンツＢ、静止画ＣＭコンテンツＣおよび静止画ＣＭコンテンツＤが番組コンテンツＢの右側に上から表示される。
【００５０】
また、第２の表示制御手段４８０は、Ｗｅｂページを取得した旨の通知をＷｅｂページ取得手段５００から受けた場合、静止画ＣＭコンテンツの表示を中断する。また、第２の表示制御手段４８０は、Ｗｅｂページの表示を終了した旨の通知を第３の表示制御手段５２０から受けた場合、静止画ＣＭコンテンツの表示を再開する。第２の表示制御手段４８０は、静止画ＣＭコンテンツの表示を再開した後、静止画ＣＭコンテンツの表示時間を規定する所定時間（例えば、３０秒）のカウントをし直す。
【００５１】
Ｗｅｂページ取得手段５００は、第２の表示制御手段４８０により静止画ＣＭコンテンツが表示されている場合、Ｗｅｂページの取得要求が操作受付手段４００から出力されたとき、当該静止画ＣＭコンテンツに対応するＣＭ−ＩＤに基づいて、当該取得要求に係るＷｅｂページのリンク先ＵＲＬ情報をＣＭ情報記憶部３９０から取り出す。そして、Ｗｅｂページ取得手段５００は、インターネット回線を介して、ＣＭ情報記憶部３９０から取り出したリンク先ＵＲＬ情報により示されるリンク先ＵＲＬによりＷｅｂサイトにアクセスし、当該Ｗｅｂサイト上のＷｅｂページを取得する。そして、Ｗｅｂページ取得手段５００は、Ｗｅｂページを取得した旨を第１の表示制御手段４４０および第２の表示制御手段４８０に通知する。Ｗｅｂページ取得手段５００は、取得したＷｅｂページを第３の表示制御手段５２０に出力する。
【００５２】
第３の表示制御手段５２０は、Ｗｅｂページ取得手段５００からＷｅｂページが出力された場合、そのＷｅｂページを表示部５４０に出力し全画面で表示させるように制御する。この場合、第１の表示制御手段４４０および第２の表示制御手段４８０による番組コンテンツおよび静止画ＣＭコンテンツの表示は中断されることとなる。
【００５３】
また、第３の表示制御手段５２０は、Ｗｅｂページの表示終了要求が操作受付手段４００から出力された場合、表示部５４０に対するＷｅｂページの表示を終了する。そして、第３の表示制御手段５２０は、Ｗｅｂページの表示を終了した旨を第１の表示制御手段４４０および第２の表示制御手段４８０に通知する。その後、第１の表示制御手段４４０および第２の表示制御手段４８０による番組コンテンツおよび静止画ＣＭコンテンツの表示が再開されることとなる。
【００５４】
次に、本実施形態の録画再生装置１６０による記録制御動作について説明する。図４は、本実施形態の録画再生装置１６０による記録制御動作例を示すフローチャートである。図４におけるステップＳ１００の処理は、例えば、現在の時間が、録画予約の録画開始時間になったことにより開始する。
【００５５】
まず、放送コンテンツ受信手段３００は、録画予約に係る放送コンテンツを放送局１２０から受信する（ステップＳ１００）。そして、放送コンテンツ受信手段３００は、受信した各放送コンテンツに付与されているイベントＩＤをＣＭ放送情報受信手段３２０に出力する。また、放送コンテンツ受信手段３００は、受信した放送コンテンツを記録制御手段３６０に出力する。
【００５６】
次に、記録制御手段３６０は、放送コンテンツ受信手段３００から出力された放送コンテンツを放送コンテンツ記憶部３８０に記録する（ステップＳ１２０）。次に、ＣＭ放送情報受信手段３２０は、放送コンテンツ受信手段３００から出力されたイベントＩＤを含むＣＭ情報取得要求をＣＭ情報提供サーバ１４０のＣＭ放送情報送信手段２４０に送信し、その応答としてＣＭ放送情報送信手段２４０から送信されたＣＭ放送情報を受信し記録制御手段３６０に出力する（ステップＳ１４０）。
【００５７】
次に、ＣＭメタ情報受信手段３４０は、上述のＣＭ情報取得要求に対する応答としてＣＭ情報提供サーバ１４０のＣＭメタ情報送信手段２６０から送信されたＣＭメタ情報を受信し記録制御手段３６０に出力する（ステップＳ１６０）。
【００５８】
次に、記録制御手段３６０は、ＣＭ放送情報受信手段３２０から出力されたＣＭ放送情報、および、ＣＭメタ情報受信手段３４０から出力されたＣＭ放送情報をＣＭ情報記憶部３９０に記録する（ステップＳ１８０）。
【００５９】
最後に、記録制御手段３６０は、ＣＭ放送情報受信手段３２０から出力されたＣＭ放送情報に含まれる放送開始時間情報および放送終了時間情報を参照し、放送コンテンツ受信手段３００から出力された放送コンテンツに含まれる各ＣＭコンテンツの開始位置および終了位置に対して、開始位置フラグ情報および終了位置フラグ情報をそれぞれ付与する（ステップＳ２００）。そして、記録制御手段３６０は、それぞれのフラグ情報をＣＭ情報記憶部３９０に記録する。ステップＳ２００の処理が完了することによって、録画再生装置１６０は図４における処理を終了する。
【００６０】
次に、本実施形態の録画再生装置１６０による表示制御動作について説明する。図５は、本実施形態の録画再生装置１６０による表示制御動作例を示すフローチャートである。図５におけるステップＳ３００の処理は、例えば、録画再生装置１６０が起動することにより開始する。
【００６１】
まず、操作受付手段４００は、操作部を介して、放送コンテンツ記憶部３８０に記憶されている放送コンテンツの中から所望の放送コンテンツの再生を要求する操作を受け付けたか否かについて判定する（ステップＳ３００）。もし、放送コンテンツの再生を要求する操作を受け付けていないと操作受付手段４００にて判定した場合（ステップＳ３００にてＮＯ）、処理はステップＳ３００に遷移する。
【００６２】
一方、放送コンテンツの再生を要求する操作を受け付けたと操作受付手段４００にて判定した場合（ステップＳ３００にてＹＥＳ）、操作受付手段４００は、放送コンテンツの再生要求を再生制御手段４２０に出力する。再生制御手段４２０は、操作受付手段４００から出力された再生要求を受けて、再生要求に係る放送コンテンツを放送コンテンツ記憶部３８０から取り出し再生を開始する（ステップＳ３２０）。
【００６３】
次に、操作受付手段４００は、操作部を介して、任意のＣＭコンテンツのスキップを要求する操作を受け付けたか否かについて判定する（ステップＳ３４０）。もし、ＣＭコンテンツのスキップを要求する操作を受け付けていないと操作受付手段４００にて判定した場合（ステップＳ３４０にてＮＯ）、再生制御手段４２０は、現在の再生位置が、ＣＭコンテンツの開始位置を過ぎたか否かについて判定する（ステップＳ３６０）。
【００６４】
もし、ＣＭコンテンツの開始位置を過ぎていないと再生制御手段４２０にて判定した場合（ステップＳ３６０にてＮＯ）、処理はステップＳ４００に遷移する。一方、ＣＭコンテンツの開始位置を過ぎたと再生制御手段４２０にて判定した場合（ステップＳ３６０にてＹＥＳ）、再生制御手段４２０は、ＣＭコンテンツの開始位置がスキップ手段４６０によりスキップされなかった旨を記録制御手段３６０に通知する。そして、記録制御手段３６０は、再生制御手段４２０からの通知を受けて、スキップされなかった開始位置に対応する開始位置フラグ情報の値を、スキップ手段４６０によりスキップされていないことを示す値に設定し直す（ステップＳ３８０）。その後、処理はステップＳ４００に遷移する。
【００６５】
ステップＳ４００では、再生制御手段４２０は、現在の再生位置が、ＣＭコンテンツの終了位置を過ぎたか否かについて判定する。もし、ＣＭコンテンツの終了位置を過ぎていないと再生制御手段４２０にて判定した場合（ステップＳ４００にてＮＯ）、処理はステップＳ７００に遷移する。一方、ＣＭコンテンツの終了位置を過ぎたと再生制御手段４２０にて判定した場合（ステップＳ４００にてＹＥＳ）、再生制御手段４２０は、ＣＭコンテンツの終了位置がスキップ手段４６０によりスキップされなかった旨を記録制御手段３６０に通知する。そして、記録制御手段３６０は、再生制御手段４２０からの通知を受けて、スキップされなかった終了位置に対応する終了位置フラグ情報の値を、スキップ手段４６０によりスキップされていないことを示す値に設定し直す（ステップＳ４２０）。その後、処理はステップＳ７００に遷移する。
【００６６】
ステップＳ３４０の判定処理に戻り、ＣＭコンテンツのスキップを要求する操作を受け付けたと操作受付手段４００にて判定した場合（ステップＳ３４０にてＹＥＳ）、操作受付手段４００は、ＣＭコンテンツのスキップ要求をスキップ手段４６０に出力する。次に、第１の表示制御手段４４０は、再生制御手段４２０により再生される番組コンテンツの表示モードを通常表示から縮小表示に変更する（ステップＳ４４０）。
【００６７】
次に、スキップ手段４６０は、操作受付手段４００から出力されたＣＭコンテンツのスキップ要求を受けて、スキップ要求に係るＣＭコンテンツをスキップさせるように再生制御手段４２０を制御する（ステップＳ４６０）。次に、第２の表示制御手段４８０は、再生制御手段４２０により再生される放送コンテンツに含まれるＣＭコンテンツのうちスキップ手段４６０によりスキップされたＣＭコンテンツのみに関連する静止画ＣＭコンテンツを、番組コンテンツの右側に表示させる（ステップＳ４８０）。
【００６８】
次に、第２の表示制御手段４８０は、ステップＳ４８０にて静止画ＣＭコンテンツの表示を開始してから所定時間（例えば、３０秒）が経過したか否かについて判定する（ステップＳ５００）。もし、所定時間が経過していないと第２の表示制御手段４８０にて判定した場合（ステップＳ５００にてＮＯ）、操作受付手段４００は、操作部を介して、静止画ＣＭコンテンツを選択してＷｅｂページの取得を要求する操作を受け付けたか否かについて判定する（ステップＳ５２０）。
【００６９】
もし、Ｗｅｂページの取得を要求する操作を受け付けていないと操作受付手段４００にて判定した場合（ステップＳ５２０にてＮＯ）、処理はステップＳ５００に遷移する。一方、Ｗｅｂページの取得を要求する操作を受け付けたと操作受付手段４００にて判定した場合（ステップＳ５２０にてＹＥＳ）、操作受付手段４００は、Ｗｅｂページの取得要求をＷｅｂページ取得手段５００に出力する。
【００７０】
次に、Ｗｅｂページ取得手段５００は、操作受付手段４００から出力されたＷｅｂページの取得要求を受けて、当該取得要求に係るＷｅｂページのリンク先ＵＲＬ情報をＣＭ情報記憶部３９０から取り出し、その取り出したリンク先ＵＲＬ情報により示されるリンク先ＵＲＬによりＷｅｂサイトにアクセスし、当該Ｗｅｂサイト上のＷｅｂページを取得する（ステップＳ５４０）。そして、Ｗｅｂページ取得手段５００は、Ｗｅｂページを取得した旨を第１の表示制御手段４４０および第２の表示制御手段４８０に通知する。また、Ｗｅｂページ取得手段５００は、取得したＷｅｂページを第３の表示制御手段５２０に出力する。
【００７１】
次に、第１の表示制御手段４４０および第２の表示制御手段４８０は、Ｗｅｂページを取得した旨の通知をＷｅｂページ取得手段５００から受けて、番組コンテンツおよび静止画ＣＭコンテンツの表示を中断する（ステップＳ５６０）。次に、第３の表示制御手段５２０は、Ｗｅｂページ取得手段５００から出力されたＷｅｂページを表示部５４０に出力し全画面で表示させる（ステップＳ５８０）。
【００７２】
次に、操作受付手段４００は、操作部を介して、Ｗｅｂページの表示終了を要求する操作を受け付けたか否かについて判定する（ステップＳ６００）。もし、Ｗｅｂページの表示終了を要求する操作を受け付けていないと操作受付手段４００にて判定した場合（ステップＳ６００にてＮＯ）、処理はステップＳ６００に遷移する。
【００７３】
一方、Ｗｅｂページの表示終了を要求する操作を受け付けたと操作受付手段４００にて判定した場合（ステップＳ６００にてＹＥＳ）、操作受付手段４００は、Ｗｅｂページの表示終了要求を第３の表示制御手段５２０に出力する。第３の表示制御手段５２０は、操作受付手段４００から出力された表示終了要求を受けて、表示部５４０に対するＷｅｂページの表示を終了する（ステップＳ６２０）。そして、第３の表示制御手段５２０は、Ｗｅｂページの表示を終了した旨を第１の表示制御手段４４０および第２の表示制御手段４８０に通知する。
【００７４】
次に、第１の表示制御手段４４０および第２の表示制御手段４８０は、Ｗｅｂページの表示を終了した旨の通知を第３の表示制御手段５２０から受けて、番組コンテンツおよび静止画ＣＭコンテンツの表示を再開する（ステップＳ６４０）。その後、処理はステップＳ５００に遷移する。
【００７５】
ステップＳ５００で所定時間が経過したと第２の表示制御手段４８０にて判定した場合（ステップＳ５００にてＹＥＳ）、第２の表示制御手段４８０は、静止画ＣＭコンテンツの表示を中止し、その旨を第１の表示制御手段４４０に通知する（ステップＳ６６０）。次に、第１の表示制御手段４４０は、静止画ＣＭコンテンツの表示を中止した旨の通知を第２の表示制御手段４８０から受けて、再生制御手段４２０により再生される番組コンテンツの表示モードを縮小表示から通常表示に変更する（ステップＳ６８０）。
【００７６】
最後に、再生制御手段４２０は、放送コンテンツを最後まで再生したか否かについて判定する（ステップＳ７００）。もし、放送コンテンツを最後まで再生していないと再生制御手段４２０にて判定した場合（ステップＳ７００にてＮＯ）、処理はステップＳ３４０に遷移する。一方、放送コンテンツを最後まで再生したと再生制御手段４２０にて判定した場合（ステップＳ７００にてＹＥＳ）、録画再生装置１６０は図５における処理を終了する。
【００７７】
以上詳しく説明したように、本実施形態では、放送コンテンツの再生中に任意のＣＭコンテンツをスキップさせるためのユーザ操作に基づいて、当該放送コンテンツに含まれるＣＭコンテンツをスキップさせる場合、スキップして再生される番組コンテンツＢを表示部５４０に表示させる一方、放送コンテンツに含まれるＣＭコンテンツのうちスキップさせたＣＭコンテンツＢ、Ｃ、Ｄのみに関連する静止画ＣＭコンテンツＢ、Ｃ、Ｄを番組コンテンツＢと共に表示部５４０に表示させるようにしている。
【００７８】
このように構成した本実施形態によれば、ユーザ操作により任意のＣＭコンテンツをスキップさせると、そのスキップされたＣＭコンテンツのみに関連する静止画ＣＭコンテンツが、ユーザが番組コンテンツを視聴している表示部５４０に番組コンテンツと同時に表示されることとなる。そのため、任意のＣＭコンテンツをスキップさせる場合でも、そのＣＭに対するユーザの視聴機会が減ることはない。これにより、ＣＭを途中からスキップして番組本編を早く見たいというユーザの希望を満たしつつ、スキップされるＣＭコンテンツの宣伝効果を維持することができる。
【００７９】
また、本実施形態によれば、スキップ手段４６０によりスキップされた後に直近で再生される番組コンテンツと、その番組コンテンツの１つ前に再生された番組コンテンツとの間に挿入されたＣＭコンテンツのうち、スキップ手段４６０によりスキップされたことを示す値が開始位置フラグ情報および終了位置フラグ情報の少なくとも何れかに設定されているＣＭコンテンツのみに関連する静止画ＣＭコンテンツを、番組コンテンツと同時に表示部５４０に表示させるようにしている。これにより、ＣＭコンテンツの最初または最後を視聴しただけでは、当該ＣＭコンテンツに関連する静止画ＣＭコンテンツが表示される。つまり、ＣＭコンテンツに対するユーザの視聴が十分でないことを確実に検知して静止画ＣＭコンテンツを表示することによりＣＭコンテンツの宣伝効果を維持することができる。
【００８０】
例えば、図２（ｂ）に示した例のように、ＣＭコンテンツＢの途中から番組コンテンツＢの途中までスキップした状況を考える。この状況において、ユーザは、番組コンテンツＢの最初から視聴したいと思い巻き戻しを行うときがある。このとき、ＣＭコンテンツＤの途中まで巻き戻して再生する場合、ＣＭコンテンツＤの終了位置に対応する終了位置フラグ情報６７０は、スキップ手段４６０によりスキップされていないことを示す値に設定し直される。しかし、第２の表示制御手段４８０は、スキップ手段４６０によりスキップされたことを示す値が開始位置フラグ情報６６０に設定されているため、ＣＭコンテンツＤに関連する静止画ＣＭコンテンツＤを、番組コンテンツＢと同時に表示部５４０に表示させる。つまり、ＣＭコンテンツＤに対するユーザの視聴が十分でないことを確実に検知して静止画ＣＭコンテンツを表示することによりＣＭコンテンツＤの宣伝効果を維持することができる。
【００８１】
以上に説明した本実施形態による録画再生装置１６０の機能は、ソフトウェアによって実現される。実際には、録画再生装置１６０がＣＰＵあるいはＭＰＵ、ＲＡＭ、ＲＯＭなどを備えて構成され、ＲＡＭやＲＯＭに記憶されたプログラム（本発明のＣＭコンテンツ表示制御用プログラムに対応）が動作することによって実現できる。なお、上記本実施形態の機能を果たすように動作させるプログラムを例えばＣＤ−ＲＯＭのような記録媒体に記録し、録画再生装置１６０に読み込ませることによって実現することも可能である。
【００８２】
上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムを放送回線（放送波）またはインターネット等のネットワークを介して録画再生装置１６０にダウンロードするようにしても良い。
【００８３】
なお、上記実施形態では、第１の表示制御手段４４０により表示される番組コンテンツと、スキップ手段４６０によりスキップされるＣＭコンテンツに関連する静止画ＣＭコンテンツとを互いに重畳しないようにして同時に表示させる例について説明したが、本発明はこれに限定されない。例えば、番組コンテンツを全画面表示したまま、スキップするＣＭコンテンツに関連する静止画ＣＭコンテンツを当該番組コンテンツの上に小画面として表示しても良い。
【００８４】
また、上記実施形態では、図３（ｂ）において、スキップされたＣＭコンテンツに関連する静止画ＣＭコンテンツを全て同じ大きさで表示する例について説明したが、本発明はこれに限定されない。例えば、ＣＭコンテンツの放送時間に応じて、表示部５４０に表示される静止画ＣＭコンテンツの大きさを変えるようにしても良い。つまり、ＣＭコンテンツの放送時間が長ければ、表示部５４０に表示される静止画ＣＭコンテンツの大きさを大きくし、ＣＭコンテンツの放送時間が短ければ、表示部５４０に表示される静止画ＣＭコンテンツの大きさを小さくする。
【００８５】
また、上記実施形態では、ＣＭメタ情報には静止画ＣＭコンテンツが含まれている例について説明したが、本発明はこれに限定されない。例えば、ＣＭメタ情報には必ずしも静止画ＣＭコンテンツが含まれていなくてもよい。この場合、記録制御手段３６０は、ＣＭコンテンツから特定のフレーム画像（例えば、先頭から５秒の位置のフレーム画像）を抽出し、その抽出したフレーム画像の上に、ＣＭメタ情報に含まれる商品・サービス名情報により示される商品名・サービス名を重畳した画像を静止画ＣＭコンテンツとしてＣＭ情報記憶部３９０に記録する。
【００８６】
また、上記実施形態では、ＣＭメタ情報にリンク先ＵＲＬ情報が含まれている例について説明したが、本発明はこれに限定されない。例えば、ＣＭメタ情報に必ずしもリンク先ＵＲＬ情報が含まれていなくてもよい。この場合、記録制御手段３６０は、ＣＭメタ情報に含まれる広告主情報により示される広告主、および、商品・サービス名情報により示される商品名またはサービス名をキーワードに設定してＷｅｂサイトを検索し、検索したＷｅｂサイトのリンク先ＵＲＬを示すリンク先ＵＲＬ情報を静止画ＣＭコンテンツと関連付けてＣＭ情報記憶部３９０に記録する。
【００８７】
また、上記実施形態において、第３の表示制御手段５２０によりＷｅｂページが表示されている場合、そのＷｅｂページ上において、スキップされたＣＭコンテンツと同じＣＭコンテンツ（動画）を再生するようにしても良い。
【００８８】
また、上記実施形態では、放送コンテンツ受信手段３００により受信された各放送コンテンツに付与されているイベントＩＤを用いて、ＣＭ情報提供サーバ１４０からＣＭ放送情報およびＣＭメタ情報を取得する例について説明したが、本発明はこれに限定されない。例えば、放送コンテンツ受信手段３００により受信された各放送コンテンツに付与されている放送種別情報、放送チャンネル情報および放送開始時間情報（これらの情報を以下、放送コンテンツ情報という）から放送コンテンツを一意に特定可能であるため、当該放送コンテンツ情報を用いて、ＣＭ情報提供サーバ１４０からＣＭ放送情報およびＣＭメタ情報を取得するようにしても良い。
【００８９】
この場合、放送コンテンツ受信手段３００は、受信した各放送コンテンツに付与されている放送コンテンツ情報をＣＭ放送情報受信手段３２０に出力する。ＣＭ放送情報受信手段３２０は、放送コンテンツ情報を含むＣＭ情報取得要求をＣＭ放送情報送信手段２４０に送信する。ＣＭ放送情報送信手段２４０は、放送コンテンツ情報に関連するＣＭ放送情報をＣＭ放送情報記憶部２００から取り出してＣＭ放送情報受信手段３２０に送信する。また、ＣＭメタ情報送信手段２６０は、例えば、ＣＭ放送情報送信手段２４０から放送コンテンツ情報を取得し、当該放送コンテンツ情報に関連するＣＭメタ情報をＣＭメタ情報記憶部２２０から取り出してＣＭメタ情報受信手段３４０に送信する。
【００９０】
また、放送コンテンツ受信手段３００により受信された放送コンテンツに含まれる各ＣＭコンテンツにＣＭ−ＩＤが付与されている場合には、そのＣＭ−ＩＤを用いて、ＣＭ情報提供サーバ１４０からＣＭ放送情報およびＣＭメタ情報を取得するようにしても良い。この場合、放送コンテンツ受信手段３００は、受信した各ＣＭコンテンツに付与されているＣＭ−ＩＤをＣＭ放送情報受信手段３２０に出力する。ＣＭ放送情報受信手段３２０は、ＣＭ−ＩＤを含むＣＭ情報取得要求をＣＭ放送情報送信手段２４０に送信する。ＣＭ放送情報送信手段２４０は、ＣＭ−ＩＤに関連するＣＭ放送情報をＣＭ放送情報記憶部２００から取り出してＣＭ放送情報受信手段３２０に送信する。また、ＣＭメタ情報送信手段２６０は、例えば、ＣＭ放送情報送信手段２４０からＣＭ−ＩＤを取得し、当該ＣＭ−ＩＤに関連するＣＭメタ情報をＣＭメタ情報記憶部２２０から取り出してＣＭメタ情報受信手段３４０に送信する。
【００９１】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９２】
１４０  ＣＭ情報提供サーバ（ＣＭメタ情報サーバ）
１６０  録画再生装置（ＣＭコンテンツ表示装置）
２２０  ＣＭメタ情報記憶部
３００  放送コンテンツ受信手段
３４０  ＣＭメタ情報受信手段
３６０  記録制御手段
３８０  放送コンテンツ記憶部
３９０  ＣＭ情報記憶部
４２０  再生制御手段
４４０  第１の表示制御手段
４６０  スキップ手段
４８０  第２の表示制御手段
５００  Ｗｅｂページ取得手段
５２０  第３の表示制御手段
５４０  表示部
【図１】
0005814696.tif 000002
【図２】
0005814696.tif 000003
【図３】
0005814696.tif 000004
【図４】
0005814696.tif 000005
【図５】
0005814696.tif 000006